(57)【要約】      （修正有） 【課題】書類の出し入れ容易でありながら、収容した書類の予期せぬ脱落を防止でき、且つ、低コストで生産可能な書類収納具を提供する。【解決手段】表紙１１と、前記表紙１１端部に連設され見開き可能な裏表紙１３とを有し、前記表紙１１又は前記裏表紙１３の内面側には書類を保持するポケット部１６が設けられた書類収納具１０であって、前記ポケット部１６は、表紙１１又は裏表紙１３と一体にポケット部１６を形成する本体片部１７と、前記本体片部１７の周縁部からポケット内方に向かって折曲形成された書類押え片と、前記書類押え片に設けられ、前記書類押え片を表紙１１又は裏表紙１３へ押圧しうる押圧片とを有する。【選択図】図１
0003195817.tif 000002
【実用新案登録請求の範囲】
【請求項１】
表紙と、前記表紙端部に連設され見開き可能な裏表紙とを有し、前記表紙又は前記裏表紙の内面側には書類を保持するポケット部が設けられた書類収納具であって、前記ポケット部は、表紙又は裏表紙と一体にポケット部を形成する本体片部と、前記本体片部の周縁部からポケット内方に向かって折曲形成された書類押え片と、前記書類押え片に設けられ、前記書類押え片を表紙又は裏表紙へ押圧しうる押圧片とを有することを特徴とする書類収納具。
【請求項２】
前記表紙及び裏表紙は長方形状に形成されると共に、前記本体片部は略長方形状であって、表紙又は裏表紙の長さ方向端部を折り返して形成されると共に、前記書類押え片は前記本体片部の一端部を折り返して形成され、前記押圧片は前記押え片の端部を折り返して形成されていることを特徴とする請求項１記載の書類収納具。
【請求項３】
前記表紙及び裏表紙は縦長長方形状に形成されると共に、前記ポケット部は前記表紙又は裏表紙の長さ方向端部側に幅方向の全域に亘って設けられ、前記本体片部は前記表紙又は裏表紙の外方端縁部に固定されると共に、反折り返し端部及び内方端部は開放されて形成されていることを特徴とする請求項２記載の書類収納具。
【請求項４】
前記ポケット部は前記表紙及び裏表紙の双方に設けられていることを特徴とする請求項１記載の書類収納用具。
【請求項５】
前記表紙、裏表紙及び前記ポケット部は、一枚の厚紙を切り起こすことにより一体に形成されていることを特徴とする請求項１記載の書衣類収納用具。
【請求項６】
前記本体片部はマチ部を介して表紙又は裏表紙に設けられていることを特徴とする請求項１記載の書類収納用具。
【考案の詳細な説明】
【技術分野】
【０００１】
本考案は、ポケット付きの書類収納具に関する。
【背景技術】
【０００２】
従来より、表紙と裏表紙とから構成され、内方に書類等を収容可能なポケットが設けられた書類収納具が知られている。このような書類収納具は、家庭やビジネスにおいて、書類を持ち運ぶ際に便利であり、広く利用されている。
【０００３】
書類収納具には、例えば、矩形状に形成されたポケットの３つの辺が裏表紙に固定され、残り１つの辺において、書類を収容したり、取出したりするものがあった。しかしながら、近年では、書類を出し入れし易いように、矩形状に形成されたポケットの２つの辺を裏表紙に固定したものが流通している。
【０００４】
しかしながら、前述の書類収納具は、書類を出し入れし易い一方で、ポケットに収容した書類が予期せぬタイミングでポケットより脱落したりする不具合があった。
【０００５】
そこで、このようなポケットからの収容した書類の脱落を防止することが出来るようにした書類収納具として、特許文献１のように、ポケットに対向する位置にストッパーを設けて、書類が脱落しにくい構造とした発明が提案されている。
【０００６】
特許文献１のような書類収納具は、ポケットから脱落しようとする書類とストッパーが当接することにより、書類の脱落を防止することが出来る一方で、ストッパーがあることにより、書類が取出しにくくなってしまうという不具合があった。
【０００７】
書類の出し入れが容易であり、且つ予期せぬ書類の脱落を防止出来る書類収容ファイルが望まれていた。本考案者は、このような観点から特許調査を行い、特許文献２及び３に示すような文献の存在を認めたが、いずれもフロッピー（登録商標）ディスクなどのデータファイルの収容を前提として発明されたものであり、表紙とポケットが別体に形成されて、複数の部材より構成されている。このような構成は、低価格の書類収納具には不適であった。
【特許文献１】公開特許第２０１１−１４８１０５号公報
【特許文献２】公開特許第２０００−０３７９８１号公報
【特許文献３】特許第２６３６６６４号公報
【考案の開示】
【考案が解決しようとする課題】
【０００８】
そこで、本考案は、このような従来の要請に基づくものであって、書類の出し入れ容易でありながら、収容した書類の予期せぬ脱落を防止でき、且つ、低コストで生産可能な書類収納具を提供する。
【課題を解決するための手段】
【０００９】
前記課題を解決するために、請求項１に記載の書類収納具にあっては、表紙と、前記表紙端部に連設され見開き可能な裏表紙とを有し、前記表紙又は前記裏表紙の内面側には書類を保持するポケット部が設けられた書類収納具であって、前記ポケット部は、表紙又は裏表紙と一体にポケット部を形成する本体片部と、前記本体片部の周縁部からポケット内方に向かって折曲形成された書類押え片と、前記書類押え片に設けられ、前記書類押え片を表紙又は裏表紙へ押圧しうる押圧片とを有することを特徴とする。
【００１０】
従って、請求項１に記載の書類収納具は、ポケット部を形成する本体片部と、表紙又は裏表紙とが、一体に形成されていることにより、書類収納具を構成する部材の数を低減することができる。
【００１１】
また、例えば、裏表紙にポケット部が形成されている場合には、押圧片により、書類押え片は、裏表紙へ押圧されるため、ポケット内方に収納した書類は、書類押え片により、裏表紙へと押圧される。
【００１２】
請求項２に記載の書類収納具にあっては、前記表紙及び裏表紙は長方形状に形成されると共に、前記本体片部は略長方形状であって、表紙又は裏表紙の長さ方向端部を折り返して形成されると共に、前記書類押え片は前記本体片部の一端部を折り返して形成され、前記押圧片は前記押え片の端部を折り返して形成されていることを特徴とする。
【００１３】
従って、請求項２に記載の書類収納具は、本体片部は、表紙又は裏表紙の長さ方向端部を折り返して形成されると共に、書類押え片は前記本体片部の一端部を折り返して形成され、押圧片は書類押え片の端部を折り返して形成されていることから、書類押え片は、押圧片の折り返しが戻ろうとするバネ作用により押圧される。
【００１４】
請求項３に記載の書類収納具にあっては、前記表紙及び裏表紙は縦長長方形状に形成されると共に、前記ポケット部は前記表紙又は裏表紙の長さ方向端部側に幅方向の全域に亘って設けられ、前記本体片部は前記表紙又は裏表紙の外方端縁部に固定されると共に、反折り返し端部及び内方端部は開放されて形成されていることを特徴とする。
【００１５】
請求項４に記載の書類収納具にあっては、前記ポケット部は前記表紙及び裏表紙の双方に設けられていることを特徴とする。
【００１６】
請求項５に記載の書類収納具にあっては、前記表紙、裏表紙及び前記ポケット部は、一枚の厚紙を切り起こすことにより一体に形成されていることを特徴とする。
【００１７】
請求項６に記載の書類収納具にあっては、前記本体片部はマチ部を介して表紙又は裏表紙に設けられていることを特徴とする。
【００１８】
従って、請求項６に記載の書類収納具は、本体片部と表紙又は裏表紙とは、マチ部によって離間して形成される。
【考案の効果】
【００１９】
請求項１に記載の書類収納具にあっては、ポケット部を形成する本体片部と、表紙又は裏表紙とが、一体に形成され、書類収納具を構成する部材の数を低減することができるため、別体に形成されて接合される場合に比して低コストで生産することが可能となる。
【００２０】
また、例えば、裏表紙にポケット部が形成されている場合には、ポケット内方に収納した書類は、書類押え片により、裏表紙へと押圧されて挟持されるため、書類は脱落し難い。
【００２１】
請求項２に記載の書類収納具にあっては、本体片部、書類押え片及び押圧片は、１枚のシートにより形成され、書類押え片及び押圧片は、折り返しにより形成されている。従って、例えば、裏表紙にポケット部が形成されている場合には、押え片は、押圧片の折り返しが戻ろうとするバネ作用により裏表紙へと押圧されることから、ポケット内方に収納した書類は、書類押え片により、裏表紙へと押圧されて挟持されるため、書類は脱落し難い。
【００２２】
また、折り返しによる、バネ作用を利用しているため、他の部材を必要とせず、低コストで生産することができる。
【００２３】
請求項３に記載の書類収納具にあっては、反折り返し端部及び内方端部は開放されて形成されているため、書類の出し入れを容易に行うことができる。
【００２４】
請求項４に記載の書類収納具にあっては、前記ポケット部は前記表紙及び裏表紙の双方に設けられていることにより、１つの書類収納具に、より多くの書類を収納することができる。
【００２５】
請求項５に記載の書類収納具にあっては、前記表紙、裏表紙及び前記ポケット部は、一枚の厚紙を切り起こすことにより一体に形成されており、低コストで生産することができる。
【００２６】
請求項６に記載の書類収納具にあっては、本体片部と表紙又は裏表紙とは、マチ部によって離間して形成されているため、例えば、複数枚の書類を重ねて厚みのある状態であっても、収納することができる。
【図面の簡単な説明】
【００２７】
【図１】図１は、本考案に係る書類収納具の一実施の形態を示した斜視図である。
【図２】図２は、本考案に係る書類収納具の一実施の形態を示し、図１におけるII−II断面図である。
【図３】図３は、本考案に係る書類収納具の一実施の形態を示した展開図である。
【考案を実施するための最良の形態】
【００２８】
以下、本考案に係る書類収納具を実施の形態に基づき、図面を参照して詳細に説明する。
図１から図３に示すように、本考案に係る書類収納具１０は、一枚の厚紙を切り起こすことにより一体に形成されている。
【００２９】
表紙１１と、表紙１１端部１２に連設され見開き可能な裏表紙１３とを有し、表紙１１及び裏表紙１３の内面側１４には書類１５を保持するポケット部１６が設けられている。表紙１１と裏表紙１３との間には、折返し線２８，２８によってマチ部３５が形成されている。
【００３０】
図１に示すように、表紙１１及び裏表紙１３は縦長長方形状に形成されており、ポケット部１６は表紙１１及び裏表紙１３の双方に設けられている。
【００３１】
図２及び図３に示すように、ポケット部１６は、表紙１１及び裏表紙１３と一体にポケット部１６を形成する本体片部１７と、本体片部１７の周縁部１８からポケット内方１９に向かって折曲形成された書類押え片２０と、書類押え片２０に設けられ、書類押え片２０を表紙１１及び裏表紙１３へ押圧しうる押圧片２１とを有している。
【００３２】
図２は、図１における裏表紙１３のII−II断面図であり、表紙１１の同位置における断面図においても同様の構成を有するため説明を省略する。
図３に示すように、表紙１１及び裏表紙１３には、外方端縁部２３に突出して設けられた本体片部固定片部２７が、略長方形状に形成されている。本体片部固定片部２７は、本体片部固定片部形成片４０に形成された折返し線２９，３０に沿って折り曲げることにより外方端縁部２３に断面コの字状に形成され、端部にはマチ部３６が形成されている。
【００３３】
押圧片２１は略長方形状に形成されると共に、押圧片２１が連接されている書類押え片２０は略台形状に形成されている。書類押え片２０が連接されている本体片部１７は略長方形状である。本体片部１７はマチ部３７を介して表紙１１及び裏表紙１３に設けられている。
【００３４】
マチ部３７は、表紙１１及び裏表紙１３の長さ方向端部２２に形成された折返し線３１と、本体片部１７との境界に設けられた折返し線３２の間に形成される。本体片部１７の一端部、書類押え片２０の端部には其々、本体片部１７を形成する折返し線３３及び押圧片２１を形成する折返し線３４が設けられている。
【００３５】
本体片部１７は、表紙１１及び裏表紙１３の長さ方向端部２２のマチ部３７との境界に設けられた折返し線３２を折り返して形成されると共に、書類押え片２０は本体片部１７の一端部の折返し線３３を折り返して形成され、前記押圧片２１は書類押え片２０の端部の折返し線３４を其々折り返して形成されている。
【００３６】
ポケット部１６は表紙１１及び裏表紙１３の長さ方向端部２２側に幅方向の全域に亘って設けられ、本体片部１７は前記表紙１１又は裏表紙１３の外方端縁部２３に固定されると共に、反折り返し端部２４及び内方端部２５は開放されて形成されている。
【００３７】
以下、本考案に係る書類収納具の実施の形態における作用について説明する。
図３に示すように、本考案に係る書類収納具１０は、前記のような構成を有することから、表紙１１及び裏表紙１３の外方端縁部２３に其々形成された本体片部固定片部形成片４０の折返し線２９，３０を内面側１４に向って折曲することにより、マチ部３６を備える本体片部固定片部２７を形成する。
【００３８】
続いて、表紙１１及び裏表紙１３の長さ方向端部２２に設けられた折返し線３１，３２に沿って折曲することにより本体片部１７を形成し、本体片部１７の一端部に設けられた折返し線３３を折曲げすることにより、書類押え片２０が形成される。さらに、書類押え片２０の端部に設けられた折返し線３４を書類押え片２０と本体片部１７の間に折曲することにより、押圧片２１が形成される。
【００３９】
最後に、本体片部１７と本体片部固定片部２７を接着剤にて固定することにより、図１に示すように、反折り返し端部２４及び内方端部２５が開放されたポケット部１６が形成され、表紙１１及び裏表紙１３の間に形成された折返し線２８，２８を折曲げすることにより、見開きのファイル形状に形成される。
【００４０】
従って、表紙１１及び裏表紙１３の双方にポケット部１６が形成され、ポケット部１６の反折り返し端部２４及び内方端部２５より、書類１５の出し入れを容易に行うことができる。また、マチ部３５，３６，３７が形成されているため、厚みのある書類を収納することができる。
【００４１】
図２に示すように、書類押え片２０は、折曲形成された押圧片２１が基の平面形状へと戻ろうとすることによるバネ作用により、表紙１１及び裏表紙１３其々に対して押圧される。従って、ポケット部１６に収納した書類１５は、表紙１１及び裏表紙１３に押圧されて挟持されるため、脱落し難い。
【００４２】
前記実施の形態においては、表紙１１及び裏表紙１３の双方にポケット部１６が形成されている例を説明したが、これに限定されるものではなく、裏表紙１３のみにポケット部１６を形成しても良い。この場合、表紙１１に例えば長方形状の開口を設けることにより、収納した書類の種類を確認することも可能となる。
【産業上の利用可能性】
【００４３】
本考案は、製造販売することにより、書類の収納具として広く利用されうるものであり、産業上利用可能性を有している。
【符号の説明】
【００４４】
１０    書類収納具
１１    表紙
１２    端部
１３    裏表紙
１４    内面側
１５    書類
１６    ポケット部
１７    本体片部
１８    周縁部
１９    ポケット内方
２０    書類押え片
２１    押圧片
２２    長さ方向端部
２３    外方端縁部
２４    反折り返し端部
２５    内方端部
２７    本体片部固定片部
２８，２９，３０，３１，３２，３３，３４    折返し線
３５，３６，３７    マチ部
４０    本体片部固定片部形成片
【図１】
0003195817.tif 000003
【図２】
0003195817.tif 000004
【図３】
0003195817.tif 000005